(57)【特許請求の範囲】
【請求項１】
パッチパネル（２０）上に複数のモジュラー電気通信ジャック（４０）を固定するためのジャック支持構造（１０）であって、
少なくとも２列のジャックキャビティ（３０）の平行な列（４００）と、
パッチパネル（２０）上にジャック支持構造（１０）を固定するための固定手段と、を備え、
前記固定手段がジャック支持構造の隣り合う２列（４００）の間にのみ配置され、
前記パッチパネルから前記ジャック支持構造を解放するように作動可能な解放アクチュエータを備えていることを特徴とする、ジャック支持構造。
【発明の詳細な説明】
【技術分野】
【０００１】
本発明は、電気通信及びデータ伝送用途においてパッチパネル上にジャックを固定するための構造に関する。
【背景技術】
【０００２】
電気通信システムでは、システムによって与えられる相互接続を必要に応じて変更できるようにするためにパッチパネルが用いられている。パッチパネルは通常、いわゆるパッチコードを必要に応じて差し込むことができる前面側のコネクタポートと、より長い永久的なケーブルが一般に接続されるパネルの背面のコネクタポートとを有している。パッチパネルの場合には、パネルの前面側のコネクタポートが露出し、かつ容易にアクセス可能であるようにラック上に設置される。パネルの背面のコネクタポートには、ラックの背面からアクセスすることが可能であるが、それが困難又は不可能である場合には、パネルの前面からのアクセスができるようにしなければならない。パッチパネルのコネクタポートは、パッチパネルに固定され、パッチコードの端部のプラグをパッチパネルの前面から差し込むことができるジャックを通常備えている。
【０００３】
あらゆる規格品のネットワークラックに設置され、１つのラックスペースを用いるパッチパネルが電気通信産業において知られている。受信契約者の数が増え、提供される電気通信サービスの数が増えるにつれてますます多くの相互接続が必要とされているが、パッチパネルを収容するために利用可能な物理的なキャビネットスペースは依然として限られている。
【０００４】
一般的に、電気通信用ジャックは、ジャックがジャック支持構造に固定され、更にジャック支持構造がパッチパネルに固定されることでパッチパネルに対して間接的に固定される。このような支持構造は、１個のジャックにつき１つの位置がしばしばキャビティとして形成された、複数のジャックのためのスペースをしばしば与える。
【０００５】
例えば米国特許出願公開第２００９／００３４２２６Ａ１号（タイコ（Tyco））に述べられる構造などの、ジャックキャビティが列に配置されたジャック支持構造についての提案がなされており、この構造は、複数のジャックキャビティ及びこれに付随するジャックラッチ開口部を有するハウジングを含み、ハウジングはパッチパネルと嵌合するように構成されている。この文書では、ジャックキャビティが上列と下列とに配置されたモジュールアセンブリについても触れられている。同文書は更に、モジュールをパッチパネル内にラッチするためのハウジング上のラッチ機構について述べている。このラッチ機構は、必要に応じてパッチパネルに解放可能にラッチすることができる。
【０００６】
欧州特許出願公開第ＥＰ  １４６５４３８  Ａ１号（Ｐａｎｄｕｉｔ）は、とりわけ、フレーム、及びそれぞれが少なくとも１個のモジュラージャック保持ラッチを有する複数のモジュールを有する、前記フレームの背面内に取り付け可能なフェースプレートについて述べている。フェースプレート保持ラッチによって、フェースプレートをフレームの後面内にスナップ嵌めすることが可能となっている。
【０００７】
欧州特許出願公開第ＥＰ  ０  ８６３  ５８３号は、絶縁変位接点を有するモジュラージャック型のソケット、及びケーブルを受容してソケットの背面に差し込むための成端プッシャーについて述べており、ソケットはプッシャーを受容するための２個の顎部材を備えており、この顎部材によりプッシャーはソケットの背面の完全な差し込み位置に近付けられる。
【０００８】
ジャックキャビティの多数の列を有する公知のジャック支持構造は、ジャックキャビティの列の上下、すなわち２つの異なる水平面内に、又は、列の右端及び左端、すなわち２つの異なる垂直面内のいずれかに配置される固定手段によってパッチパネルに固定することができる。この固定手段は、各平面内の空間を占有し、いったん取り付けられると、２つの平面内でパッチパネルの前面上の空間を占有する。
【発明の概要】
【発明が解決しようとする課題】
【０００９】
多くの電気通信配線キャビネットにおいて空間は貴重であるため、パッチパネルの前面においてジャック支持構造が占有する空間は最小限とされることが望ましい。本発明は、こうした要請に応えようとするものである。
【課題を解決するための手段】
【００１０】
本発明は、複数のモジュラー電気通信ジャックをパッチパネル上に固定するためのジャック支持構造を提供し、このジャッキ支持構造は少なくとも２列のジャックキャビティの平行な列と、ジャック支持構造をパッチパネル上に固定するための固定手段とを有し、前記固定手段が隣り合う２列のジャック支持構造の間にのみ配置されることを特徴とする。
【００１１】
本出願の文脈において、ジャックキャビティとは、１個のモジュラー電気通信ジャック又は複数のジャックを収容することが可能な、ジャック支持構造の１個の開口部のことである。ジャックキャビティは、収容されるジャックのすべての側面を包囲する必要はない。
【００１２】
本発明に基づくジャック支持構造は、ジャックキャビティの隣り合う２列の間に配置された固定手段によって固定される。ジャックキャビティの列の横に固定手段はいっさい存在せず、ジャックキャビティの上列の上にも下列の下にも固定手段はいっさい存在しない。換言すれば、ジャックを配置するために使用することができない空間を占有する、各列の間に配置されない固定手段を必要としない。これにより、この構造は、構造が固定されるパッチパネルの前面において占有する空間が小さく、パッチパネルの前面におけるジャックキャビティの密度を高くすることができる。パッチパネル上のジャックの密度を高くすることができるため、所定のパッチパネルの前面により多くのモジュラー電気通信ジャックを固定することができる。
【００１３】
本発明に基づくジャック支持構造では、パッチパネルからジャック支持構造を取り外せるように前記固定手段を開放可能なものとすることができる。この構成は、既に設置されているジャック支持構造の容易かつ速やかな交換、検査、又は再配置が可能となることから有益である。ジャック支持構造を簡単に開放及び取り外しできることにより、パッチパネルの最初の設置時には完全に埋まっていなかったジャック支持構造に新たなジャック（１乃至複数の）を設置することが可能である。新たなジャックの設置後、支持構造を再びパッチパネルに固定することができる。最初のパッチパネルの設置後にジャックを追加することが可能であるため、電気通信会社は、例えば、サービス接続が実際に必要となる時点までコストを先送りすることができる。
【００１４】
固定手段は、例えば、１つ以上のクリップ、ネジ、フック、ステープル、リベット、ラッチ機構、ファスナー、ホルダー、ネジ機構、磁力機構、又はアタッチメントアセンブリとすることができる。
【００１５】
本発明に基づくジャック支持構造では、１つの列のジャックキャビティを少なくとも１つの他の列のジャックキャビティと整列させることによって、特定の列に沿った方向で測った場合にそれらの縁部がほぼ同じ位置となるようにすることができる。この構成によればパッチパネル上のジャックの密度を高めることが可能であり、ジャック支持構造を同じサブモジュールから製造することが可能となるため、ジャック支持構造の製造及び組み立てのコスト効率が高められる。
【００１６】
収容されたジャックのすべての側面を完全には包囲しないジャックキャビティでは、ジャックの設置が容易であり、既にワイアに接続されたパッチパネルの前面からジャックを容易に設置することができる。
【００１７】
本発明の一態様に基づくジャック支持構造は、パッチパネルからジャック支持構造を開放するように機能する解放アクチュエータを備えてもよい。解放アクチュエータは、ジャック支持構造を速やか、かつ高い信頼性で解放することができるような設計とすることができる。解放アクチュエータの１つの例として、パッチパネルをジャック支持構造に固定する、例えば、弾性ラッチのような固定手段を手で外すためのボタンがある。
【００１８】
本発明の更なる一態様に基づくジャック支持構造は、２本のアームを有しうる解放アクチュエータを備えてもよく、これにより両方のアームが互いの方向に動かされる際にジャック支持構造が解放される。この構成の利点の１つとして、２本のアームを互いの方向に押すことによってジャック支持構造を解放する際にジャック支持構造にそれによる力が実質上作用しない点がある。
【００１９】
解放アクチュエータを備えるジャック支持構造は、支持構造上の第１の位置において解放アクチュエータの作動を阻止し、支持構造上の第２の位置において解放アクチュエータの作動を可能とする可動阻止部材を更に備えてもよい。２つの機能位置を有する可動阻止部材によって、例えば、小型の配線キャビネットにおいて解放アクチュエータが誤って不用意に作動することを防止し、これにより通信システムの完全性を保護することができる。作動を阻止する支持構造上の第１の位置と、作動を可能とする支持構造上の第２の位置とを有する可動阻止部材は、作動を阻止又は可能とするためにジャック支持構造から阻止部材を取り外す必要がないことから更に有益である。これにより、多くの配線キャビネットにおいて一般的である乱雑なケーブル及び機器の中で阻止部材がなくなるという問題が回避できる。
【００２０】
可動阻止部材は、第１の位置から第２の位置へ、かつ／又は第２の位置から第１の位置へと手で回転させて動作させることができる。手による回転は、阻止部材の簡単でコスト効率が高い、省スペースの作動法である。
【００２１】
阻止部材は、標示受承面を有してもよい。ジャック支持構造の要素に標示を設けるという選択肢は、このような貴重な空間の一部を占有しうる別の標示保有要素を設ける必要がないことからパッチパネルの前面の空間を節約するものである。これは、ジャック及びパッチケーブルの最初の設置後に標示を設けるだけでよいため、より効率的な設置をも可能とするものである。
【００２２】
本発明の別の態様に基づくジャック支持構造は、モジュラー電気通信ジャックの導電性部分をパッチパネルの導電性部分に電気的に接続するための接点を有してもよい。このような接点は、各ジャックに電気的接地を与え、電気通信線並びにこれに付属するジャック及びプラグ間の望ましくない電気的クロストークの大幅な低減を実現するうえで有益でありうる。接点は、接地若しくは遮蔽又はその両方の目的で使用することができる。ジャック支持構造の接点は、ジャックの電圧を規定の０Ｖとすることができるために更に有益である。ジャック支持構造の各ジャックキャビティに対して１個の接点を設けてもよく、ジャック支持構造の複数のジャックキャビティに対して１個の接点を設けてもよく、あるいはジャック支持構造のすべてのジャックキャビティに対して１個の接点を設けてもよい。
【００２３】
上記に述べたような接点は、ジャック支持構造内のジャックと接触するための第１のアームと、ジャック支持構造が固定されるパッチパネルと接触するための第２のアームとを有してモよい。この形状によれば、ジャック支持構造に１個のみの部品を固定するだけでよいため、本発明に基づくジャック支持構造の製造及び組み立てが容易となりうる。
【００２４】
この接点は隣り合うジャックキャビティの列の間の中央壁内に収容されうる。ジャック支持構造の中央壁内に接点が収容されることにより、接点を収容するための更なる空間を必要としないことから、パッチパネル上のジャックの密度を高めることができる。
【００２５】
ジャック支持構造が固定されるパッチパネルの内部に面するジャック支持構造の背面側からジャックをジャック支持構造に挿入することによって、モジュラー電気通信ジャックを本発明の別の態様に基づくジャック支持構造に固定することが可能である。この構成の利点の１つは、ジャックがその後端においてワイアに接続された状態でジャックをジャック支持構造に固定することが可能であることにより、保守及び修理がより速やかとなり、コスト効率が高められることである。
【００２６】
本発明の更なる態様に基づくジャック支持構造は、ジャックキャビティの隣り合う２列の間に配置された２個の中央壁であって、互いに対して平行でありかつ前記列に対して平行な主面を有し、それらの間の空間に、ジャック支持構造が固定されるパッチパネルの平坦な支持要素を受容するような適当な間隔をおいて配置された中央壁を備えてもよく、これにより中央壁は、前記平坦な支持要素に対するジャック支持構造の、中央壁の前記主面に垂直な方向の運動を制限する。
【００２７】
これにより中央壁は、パッチパネルに対するジャック支持構造の、省スペースであるが安定した固定を可能とする。そのため、中央壁は、それらの間の開放距離が、ジャック支持構造が固定されるパッチパネルの平坦な支持要素の厚さにほぼ等しくなるような間隔をおいて配置することができる。ジャック支持構造が固定される際、一方の中央壁は平坦な支持要素の一方の主面に隣接して配置され、他方の中央壁は平坦な支持要素の反対側の主面に隣接して配置される。この構成によれば、パッチパネルに対してジャック支持構造を緊密に嵌合し、しっかりと固定することが可能となり、パッチパネル上のジャックの高い密度の実現に寄与しうるものである。
【００２８】
本発明に基づくジャック支持構造とパッチパネルとの組み合わせにおいては、パッチパネルは、ジャック支持構造のジャックキャビティの隣り合う２列の間に嵌合する平坦な支持要素を有しうる。これにより、ジャック支持構造をパッチパネルに固定するための手段が与えられる。この平坦な支持要素は、パッチパネルにジャック支持構造を固定するために用いられるパッチパネルの唯一の要素でありうることから、パッチパネルに更なる固定要素を設ける必要がなくなり、これによりパッチパネル上のジャックの密度を高めることが可能となり、必要とされる支持要素が１個だけであることからパッチパネルのコスト及び重量を節減することができる。
【００２９】
平坦な支持要素は、支持要素に固定されるジャック支持構造の位置を規定する少なくとも１つの凹部を縁部に有しうる。平坦な支持要素は２種類の凹部を有しうる。一方の種類の凹部は、ジャック支持構造がパッチパネルに固定される際にジャック支持構造を案内するのに適したものでよく、他方の種類の凹部は、ジャック支持構造をパッチパネルにしっかりと固定するのに適したものとすることができる。代りに、１種類の凹部が、ジャック支持構造がパッチパネルに固定される際にジャック支持構造を案内することと、ジャック支持構造をパッチパネルにしっかりと固定することとの両方に適したものであってもよい。
【００３０】
ジャック支持構造を、パッチパネルの内部に向かう方向にパッチパネルに挿入することによって、ジャック支持構造をパッチパネルに固定することができる。例えば、パッチパネルの前面側からのように、パッチパネルの内部に向かう方向にジャック支持構造を挿入することは、パッチパネルの前面側は、キャビネット壁とパッチパネルを収納したラックとの間にわずかな空間しか残っていないパッチパネルの背面側よりもしばしばアクセス性がよいことから、設置、修理、及びサービスを行ううえで有利である。
【００３１】
更なる一態様では、本発明は、モジュラージャックのワイア編成部材内に保持された複数のワイアをジャックの各絶縁変位接点に固定するためのワイア成端ツールであって、モジュラージャックを受容するような形状を有するキャビティと、それらの反対側から前記キャビティ上に旋回可能に動かすことができる第１及び第２のレバーと、を備えることにより、ジャックがキャビティ内に配置され、レバーが互いの方向に旋回されると、レバーがワイア編成部材に力を作用させてこれをジャック本体内に押し込み、これにより前記ワイアを各絶縁変位接点内に押し込むワイア成端ツールを提供する。
【００３２】
この成端ツールは、ジャック内におけるワイアの信頼性の高い、簡単かつ速やかな成端を可能とする。成端は、レバーを１つの動作で同時に押すことによって手で行うことができる。このツールは片手で操作することができる。ツールは何度も使用することができる。これは個々のジャック上での成端機構を旧式化するものであり、これにより製造コストを節減することができる。
【図面の簡単な説明】
【００３３】
次に本発明を、発明の特定の実施形態を実例として示す以下の図面を参照しながらより詳細に説明する。
図中、
【図１】パッチパネルに固定された本発明に基づくジャック支持構造の斜視図。
【図２】阻止部材を取り外した状態の図１のジャック支持構造の１つをより詳細に示す図。
【図３】パッチパネルの平坦な支持要素の平面に沿った、図１のジャック支持構造の１つの断面図。
【図４】モジュラージャックが固定された本発明に基づくジャック支持構造の斜視図であり、解放アクチュエータ及び標示を有する阻止部材を更に示している。
【図５ａ】本発明の一態様に基づく接点を有する、本発明に基づくジャック支持構造の斜視図。
【図５ｂ】図５ａの接点をより詳細に示す図。
【図５ｃ】図５ｂのものと同様の２個の接点の詳細斜視図であり、それらがジャック支持構造の中央壁内に収容されている状態を示す図。
【図６ａ】２列のジャックキャビティを有する本発明に基づくジャック支持構造、及び各列の間の固定手段の位置を示す概略正面図。
【図６ｂ】本発明に基づく代替的なジャック支持構造の別の概略正面図。
【図７ａ】これによりジャック支持構造をパッチパネルに固定することができる、パッチパネルの平坦な支持要素に形成された凹部の斜視図。
【図７ｂ】代替的な形状を有する同様の凹部の斜視図。
【図８ａ】開位置にある本発明の一態様に基づくワイア成端ツールの斜視図。
【図８ｂ】ジャックが挿入された図８ａのツール及びワイア編成部材を示す斜視図。
【図８ｃ】ワイア編成部材が部分的に挿入され、ツールがほぼ閉じられた、図８ｂのツール及びジャックの別の斜視図。
【図８ｄ】ワイア編成部材がジャックに完全に挿入され、アクチュエータが再び開かれた状態のツールを示す同様の図。
【図９】図８ｂのワイア編成部材のより詳細な斜視図。
【図１０】絶縁変位接点を有する図８ｂのジャックの部分の斜視図。
【発明を実施するための形態】
【００３４】
図１は、本発明に基づく２個のジャック支持構造１０の斜視図であり、ジャック支持構造１０はいずれもパッチパネル２０に固定されている。各ジャック支持構造は、それぞれのモジュラージャック４０を格納した４個のジャックキャビティ３０を有している。使用時には、パッチパネル２０は、当業界で今日使用されているラック（図に示されていない）上に設置される。本明細書に述べられるパッチパネルとともに使用することが可能な従来のラックには、標準的な１９インチ（４８．３ｃｍ）の機器ラック、標準的な２３インチ（５８．４ｃｍ）の機器ラック、ヨーロッパ規格のラック、又は世界的に使用されている他の標準的なラックが含まれる。複数のパッチパネル２０を他の同様のパネルとラック内に積み重ねて置くことが可能であり、これによりパッチパネルの前面側５０からジャック４０にアクセスして、パッチパネルの背面側９０からジャックに入るケーブルに対する接続を行うためにパッチコードを差し込むことができる。
【００３５】
次にパッチパネル２０及びジャック支持構造１０についてより詳細に説明する。パッチパネル２０は、その前面側５０において、パッチパネル２０の両側に配置された、ラック（図に示されていない）にパッチパネル２０を取り付けるための２個のフランジ６０を有している。側壁７０がフランジ６０をパッチパネルの背面側９０に配置された後壁８０に対して連結している。後壁８０の開口部１００により、ケーブル（図に示されていない）を背面側９０からパッチパネル２０に引き込むことができ、これによりケーブルをモジュラージャック４０に接続することが可能である。パッチパネル２０は、パッチパネル２０の高さの中心で、側壁７０の上縁部１２０と下縁部１２５との中間点に取り付けられた中央支持要素１１０を有している。支持要素１１０は、パッチパネル２０の後壁８０に対しても取り付けられている。フランジ６０、側壁７０、及び中央支持要素１１０はシートメタルから作製され、導電性であるために接地目的に適している。
【００３６】
中央支持要素１１０は、その前縁部において、ジャック支持構造１０の対応する固定手段と嵌合するような適当な形状を有する凹部１３０、１４０を有している。これらの固定手段について以下により詳しく説明する。本発明のこの実施形態では２種類の凹部があり、凹部１３０はそれぞれ第１の種類であり、その前端において２箇所の保持突起１５０を有している。各ジャック支持構造１０上の対応する固定手段は、ジャック支持構造１０がパッチパネル２０に固定される際に平坦な支持要素の前縁部の保持突起１５０と係合する、図３に見られるラッチ３００からなる。保持突起１５０とラッチ３００とは協働してジャック支持構造１０がパッチパネル２０の前面側５０の方向に凹部１３０から偶発的に滑りでてしまうことを防止する。
【００３７】
凹部１４０はそれぞれ第２の種類であり、その前端に保持突起はない。凹部１４０は、ジャック支持構造１０がパッチパネル２０の前面側５０からパッチパネル２０に挿入される際にジャック支持構造１０を案内する。凹部１４０は、ジャック支持構造１０内の支持支柱要素２７５（図３に示される）と相互作用する。１個の凹部１４０は、第１のジャック支持構造１０の１個の支柱要素２７５と、第１のジャック支持構造１０の隣の第２のジャック支持構造１０の１個の支柱要素２７５とを収容する。凹部１４０は、ほぼ長方形の形状を有している。凹部１４０は、その長手方向に、パッチパネル２０の前面側５０から背面側９０に向かって延びている。その幅はその長さよりも小さく、その長軸は側壁７０と平行である。凹部１３０及び１４０の深さ、すなわち背面側９０に向かうそれぞれの延長長さによって、パッチパネル２０の前／後方向におけるジャック支持構造１０の位置が決まる。
【００３８】
平坦な支持要素１１０は、ジャック支持構造１０用の設置プラットフォームを形成する。平坦な支持要素１１０はパッチパネル２０の側壁７０及び後壁８０に連結されているため、パッチパネル２０全体に対して曲がりや捻れに対する機械的な安定性も与え、後壁８０の開口部１００がパッチパネルの強度に対して有しうる負の影響に抗するうえでの助けとなりうる。
【００３９】
ジャック支持構造１０はそれぞれ、上列が２個のキャビティ３０を有し、下列が２個のキャビティ３０を有するジャックキャビティ３０の上列及び下列からなっている。２列のジャックキャビティ３０は互いに平行である。１個のジャック支持構造１０は、上壁１６０、下壁１７０、及び２個の平行な側壁１８０を有している。上壁１６０及び下壁１７０は、ジャック支持構造１０がパッチパネル２０に固定される際に互いに平行、かつ平坦な支持要素１１０に平行となる向きとなっている。ジャック支持構造１０は更に、上壁１６０から下壁１７０へと延びる、側壁１８０と平行な分離壁１９０を有している。
【００４０】
モジュラージャック４０がジャックキャビティ３０のそれぞれの内部に実装される。ジャックキャビティ３０は、各モジュラージャック４０がジャックキャビティ３０の２つの列を分離する平面に対して対称的に実装されるような向きとなっている。すなわち、各ジャック支持構造の下列のジャック４０は、上列のジャック４０に対して「逆さま」に実装される。
【００４１】
図に示されるジャックキャビティ３０のそれぞれは、ＲＪ４５型のジャックを受容するような形状となっている。各ジャックキャビティ３０は、実際にはＲＪ４５型のジャック４０を包囲する。右上のジャックキャビティ３０内には、ジャック４０の前面を含む約２／３が見えている。ジャックの約１／３は、ジャックキャビティ３０の側壁１８０、上壁１６０、分離壁１９０及び上側中央壁２００によって包囲されている。
【００４２】
各ジャック支持構造１０は、互いに平行かつジャック支持構造１０の上壁１６０及び下壁１７０に対して平行な、水平に配置された２つの中央壁２００、２１０を有している。上側中央壁２００は、ジャック支持構造１０のジャックキャビティ３０の上列の２個のジャックキャビティ３０の下壁を形成しており、同様に下側中央壁２１０は、ジャックキャビティ３０の下列の２個のジャックキャビティ３０の上壁を形成している。したがって、中央壁２００及び２１０は、ジャックキャビティ３０の上列と下列との間に配置され、ジャック支持構造１０がパッチパネル２０に固定される際にパッチパネル２０の平坦な支持要素１１０の両側に１つずつ配置される。これにより、中央壁２００、２１０は、平坦な支持要素１１０に対するジャック支持構造１０の上下方向の運動を制限する。
【００４３】
中央壁２００と２１０との間には、パッチパネル２０の中央支持要素１１０にジャック支持構造１０を固定する、下記により詳しく述べる上記の固定手段が配置される。
【００４４】
ジャック４０は、それぞれのジャックラッチ２２０によってジャック支持構造１０内に保持される。図４に示されるように、上列のジャックキャビティ３０については２個のジャックラッチ２２０がジャック支持構造１０の上壁１６０から後方に延び、下列のジャックキャビティ３０については２個のジャックラッチ２２０が下壁１７０から後方に延びている。ジャックラッチ２２０は平坦でかつ弾力性を有し、上壁及び下壁１６０に対してほぼ平行であり、それぞれが付属するジャックキャビティ３０に対して中央に配置されている。ジャック４０がジャック支持構造１０の背面からジャックキャビティ３０に挿入される際、ジャック４０の切欠きが対応するジャックラッチ２２０のラッチフック３１５と係合し、ジャック４０をジャックキャビティ３０及びジャック支持構造１０に対するその位置に固定する。各ジャックラッチ２２０は、ジャック４０からジャックラッチ２２０が外れるようにわずかに撓ませることができるため、ジャック４０を後方に引っ張りだすことによってジャック４０をジャックキャビティ３０から取り外すことができる。
【００４５】
パッチパネル２０にジャック支持構造１０を固定するための固定手段は、各固定手段（及び下記に述べる付随する解放アクチュエータ）が可動阻止部材２３０によって覆われているために図１では見えていない（図３において述べる）。阻止部材２３０は、ジャック支持構造１０の幅全体にわたって延びている。阻止部材２３０は、中央及びそれぞれの側端部において、それぞれがジャック支持構造１０のそれぞれの壁１８０、１９０にヒンジ２５０によって回転可能に取り付けられた３本のアーム２４０を有している。阻止部材２３０の外側端部のアーム２４０は、ジャック支持構造１０の側壁１８０に回転可能に取り付けられており、阻止部材２３０の中央のアーム２４０は、取り付けを目的としたヒンジ穴を与える分離壁１９０に回転可能に取り付けられている。阻止部材２３０は図１にその第１の位置で示されており、この位置から図４に示される第２の位置へとヒンジ２５０を中心として手で上側に回転させることができ、第２の位置において、解放アクチュエータアーム２７０を作動することが可能となる。
【００４６】
阻止部材２３０の第１の位置では、その前面２３５は、ジャック支持構造１０がパッチパネル２０に取り付けられる際にパッチパネル２０の各フランジ６０によって規定される平面に対して平行な平面内に位置する。阻止部材２３０の第２の位置では、その前面は、ヒンジ２５０を中心とした回転によって規定される、フランジ６０によって規定される平面に対して約４５°の角度にほぼ位置する。
【００４７】
阻止部材２３０の前面２３５は、図４において標示が設けられている状態が示されている標示受承面である。通常、実際の使用では、こうした標示は、何らかの文字及び各ジャックキャビティ３０を個別に識別しうる番号を含んでいる。阻止部材２３０の標示受承面２３５は、普通のペン又は鉛筆による書き込みに適したものとすることができる。これに代えるか、又はこれに加えて、標示受承面２３５は、例えば、インクジェット、スクリーン印刷、又はパッド印刷技術及び材料によって印刷するのに適したものとしてもよく、あるいは標示受承面２３５は接着ラベルを貼るのに適したものであってもよい。
【００４８】
図２に、パッチパネル２０に固定された本発明にしたがうジャック支持構造１０をより詳細に示す。分かりやすくするため、阻止部材２３０は取り除いてある。ここではヒンジ穴２６０が見えているが、これは図１では阻止部材２３０のヒンジ２５０を収容している。ここでは解放アクチュエータの２本のアーム２７０が部分的に見えており、各アーム２７０はそれぞれの前端において下記に述べるようなアクチュエータの簡単かつ信頼性の高い手動操作を可能とする摘み２８０を有する。図３の断面図に示されるように、アーム２７０はジャック支持構造１０の背面に向かって前面から延びる。
【００４９】
解放アクチュエータアーム２７０は、ジャック支持構造１０の固定手段の一部を形成する。解放アクチュエータアーム２７０は、支持構造の中央壁２００と２１０との間に配置され、したがって、ジャックキャビティ３０の上列と下列との間に配置されている。アーム２７０のそれぞれは、ジャック支持構造１０の前面から突出しているために容易にアクセス可能である。
【００５０】
解放アクチュエータアームのそれぞれは、パッチパネル２０の中央の平坦な支持要素１１０のそれぞれの凹部１３０の保持突起１５０の一方と係合するラッチ３００（図３に見られる）を有している。両方の解放アクチュエータアーム２７０が、それぞれの摘み２８０を互いの方向に手で押すことによって互いの方向に押されると、各ラッチ３００が保持突起１５０から外れ、次いで同じ摘み２８０を使用して、図２に矢印２９０によって示される前方にパッチパネル２０からジャック支持構造１０を引き出すことができる。解放アクチュエータアーム２７０は弾性を有しているため、解放されると元の位置に復帰する。アーム２７０は、例えば、弾性ポリマー材料で形成することができる。
【００５１】
ジャック支持構造１０の各側壁１８０は、その内面において長手方向の支持支柱要素２７５を有している。支持支柱要素２７５は、ジャック支持構造１０の前面から背面に向かって延びている。支持支柱構造２７５は、各側壁１８０が中央の平坦な支持要素１１０の凹部１４０と係合する各側壁１８０の部分に配置されている。支持支柱構造２７５は、ジャック支持構造１０が中央の平坦な支持要素１１０に挿入される際にジャック支持構造１０を案内する働きも有する。中央支持要素１１０上の凹部１４０の間隔は、ジャック支持構造１０の一方の側の支持支柱構造２７５が第１の凹部１４０内にぴったりと嵌まるのと同時にジャック支持構造１０の反対側の支持支柱構造２７５が第２の凹部１４０内に嵌まるように選択されている。支持支柱構造２７５は、ジャック支持構造１０がパッチパネル２０に固定される際にパッチパネル２０の中央の平坦な支持要素１１０に対してジャック支持構造１０が左右に動く量を制限する。
【００５２】
パッチパネル２０の平坦な支持要素１１０に固定されたジャック支持構造１０及びその固定手段の中心面における断面が図３に示されている。解放アクチュエータアーム２７０の正常な位置、すなわち解放アクチュエータアーム２７０が互いの方向に押されていない場合には、それぞれアームのラッチ３００は既に述べたようにパッチパネル２０の中央支持要素１１０の凹部１３０の保持突起１５０と係合する。各ラッチ３００の断面は、例えば、各保持突起１５０間の凹部１３０内への解放アクチュエータアーム２７０の挿入を容易とするために三角形の形状となっている。特定の挿入深さにおいて、解放アクチュエータアーム２７０の弾性のために、ラッチ３００は各保持突起１５０の後ろで係合する。ラッチ３００の三角形の形状のため、解放アクチュエータアーム２７０はこれらを凹部１３０の中心線の方向に押すことによって保持突起１５０からラッチ３００を外さないかぎりは凹部１３０から引き出すことはできない。
【００５３】
解放アクチュエータアームはいずれも、それぞれの後部３１０においてジャック支持構造１０の支持壁１９０に取り付けられている。分離壁１９０は、中央壁２００、２１０の間の領域においてテーパした前縁部を有しているため、ジャック支持構造１０をパッチパネル２０から取り外そうとする際に解放アクチュエータアーム２７０を互いに押すための更なる空間が与えられる。
【００５４】
この例示的な実施形態では、固定手段は、２個の後部３１０、２個の解放アクチュエータ２７０、２個のラッチ３００、及び２個の摘み２８０から構成される構造を有している。固定手段は各要素の他の組み合わせを有してもよい。
【００５５】
図４は、図１及び２に示されるジャック支持構造１０の立体図であるが、１個のみのジャック４０がジャック支持構造１０に実装されている。ジャック支持構造１０は各列が２個のジャックキャビティ３０からなる２列のジャックキャビティ３０を有しており、右上のジャックキャビティ３０に１個のモジュラージャック４０が固定され、阻止部材２３０は解放アクチュエータ２７０の作動を可能とする第２の位置にある。
【００５６】
この図では、左下のジャックキャビティ３０のジャックラッチ２２０が見えている。ラッチフック３１５が三角形の断面を有しており、下壁１７０の前縁部に対して平行な向きの頂点を有する傾斜状の形状となっている様子を見ることができる。既に述べたように、ラッチフック３１５は、モジュラージャック４０がジャック支持構造１０の背面側からジャックキャビティ３０に挿入される際にこのジャック４０の対応する切欠き（図では見えない）と係合する。ラッチ２２０及びラッチフック３１５は、いったん係合すると、モジュラージャック４０をジャック支持構造１０に対するその定位置に保持し、モジュラージャック４０がそのジャックキャビティ３０から背面側に滑り出ることを防止する。
【００５７】
分離壁１９０には、長手方向の溝３２０が壁１９０の後端から分離壁１９０の前面側に向かって延びているが、溝３２０は壁１９０の前面からわずかに後方で終端している。溝３２０の目的は、分離壁１９０に一定の弾性を与えることにある。
【００５８】
各ジャックキャビティ３０はプラグラッチ溝３３０を有している。上列のジャックキャビティ３０では、ラッチ溝３３０は上壁１６０の前面からジャックキャビティ３０の後端に向かって延びている。上列のジャックキャビティ３０では、ラッチ溝３３０は下壁１７０の前面からジャックキャビティ３０の後端に向かって延びている。各ラッチ溝３３０は、標準的なＲＪ４５プラグ（図に示されていない）がジャック４０に挿入される際に、ＲＪ４５プラグの一部を形成するラッチを収容するだけの充分な幅を有している。
【００５９】
阻止部材２３０は、阻止部材２３０が解放アクチュエータアーム２７０の作動を阻止する所定の角度位置へと、更に、阻止部材２３０が解放アクチュエータアーム２７０の作動を可能とする別の角度位置へと、その幅方向に平行な軸を中心として旋回させることができる。図４は、解放アクチュエータアーム２７０の作動を可能とする位置にある阻止部材２３０を示している。この位置では、摘み２８０は、ジャック支持構造１０の前面側からアクセス可能であり、手で操作することができる。阻止部材２３０が作動を防止する他の位置では、阻止部材２３０が摘み２８０の前面に配置されるため、摘み２８０にジャック支持構造１０の前面側からアクセスすることはできず、手で操作することはできない。
【００６０】
阻止部材のアーム２４０及びヒンジ２５０は通常、弾性ポリマー材料で形成される。各側部アーム２４０はそれぞれの側壁１８０よりも薄いため、アーム２４０は、阻止部材２３０の第１及び第２の位置の両方において、更にこれらの位置の間の移行位置において、側壁１８０に形成された凹部３４０内に収容されうる。ヒンジ凹部３４０内の領域では、各側壁１８０は薄くなっている。これは、阻止部材２３０を含むジャック支持構造１０の横方向に測定した全体の幅が小さく保たれ、ジャック支持構造１０の水平方向のサイズを小さく保つうえで寄与することにより、パッチパネル２０のこの方向におけるジャックキャビティ３０の密度、ひいてはジャック４０の密度をより高くすることが可能となることから有益である。
【００６１】
図５ａは、ジャック支持構造が接点３５０（図５ｂに別に示されている）を有する本発明の一実施形態における、パッチパネルに実装されたジャック支持構造１０の背面側の斜視図である。接点３５０は、支持棒状部３８０から突出する２本のアーム３６０、３６１を有している。接点３５０は、接点３５０の一方のアーム３６０が上側中央壁２００の上に配置され、他方のアーム３６１（図５ａでは見えない）が上側中央壁２００の下で、かつパッチパネル２０の中央支持要素１１０と上側中央壁２００との間に配置されるようにしてジャック支持構造１０の後端に取り付けられる。接点３５０は、図５ｃにより更に詳細に示されるように、上側中央壁２００の適当な形状を有する凹部３７０内にクリップ嵌めされる。
【００６２】
接点３５０は、ジャック４０がジャックキャビティ３０に挿入される際に、パッチパネル２０の中央支持要素１１０とジャック４０との間の導電接続を与える。この導電接続は、その全体若しくは一部が導電性を有するか又は導電性表面を有する接点３５０によって与えられ、更に、そのアーム３６０、３６１の一方が中央支持要素１１０と電気的に接触し、かつ他方のアーム３６１、３６０がジャック４０と電気的に接触し、これらのアームが支持棒状部３８０によって導電接続された接点３５０によって与えられる。
【００６３】
図５ａでは分かりやすくするために、１個の空のジャックキャビティ３０、及び、中央支持要素１１０とこのジャックキャビティ３０に挿入されるジャック４０との間の電気的接触を与える１個の接点３５０のみを示している。しかしながら、ジャック支持構造１０のすべてのジャックキャビティ３０は、それぞれ接点３５０を備えている。本発明の他の実施形態では、ジャックキャビティ３０の一部のもののみが接点３５０を有してもよい。
【００６４】
図５ｂは、接点３５０が、その２本のアーム３６０、３６１がその支持棒状部３８０からほぼ垂直に突出したほぼＵ字形状を有している様子を示している。第１のアーム３６０が平坦な支持棒状部３８０によって規定される平面から一方の方向に延出するような形状を有しているのに対して、第２のアーム３６１は平坦な支持棒状部３８０によって規定される平面から反対の方向に延出するような形状を有している。
【００６５】
接点３５０は弾性を有しているため、一方のアーム３６０、３６１が支持棒状部３８０によって規定される平面の方向に押されると、アームはその元の位置に戻ろうとする。接点３５０を備えたジャックキャビティ３０にジャック４０が挿入されると、第１のアーム３６０の一部がジャック４０と接触するが、その部分は第１のアーム３６０及び接点３５０の接触領域３９０である。同様に、接点３５０を備えたジャックキャビティ３０にジャック４０が挿入されると、第２のアーム３６１及び接点３５０の接触領域３９１がパッチパネル２０の中央支持要素１１０と接触する。接点３５０の接触領域３９０、３９１は、接点３５０の全体が導電性であるために互いに導電接続されている。接点３５０は、例えば、青銅から作製され、スズの表面メッキを施したものとすることができる。
【００６６】
図５ｃは、接点３５０が上側中央壁２００及び下側中央壁２１０にそれぞれ取り付けられたジャック支持構造１０の背面側の拡大斜視図である。上側中央壁２００には、接点３５０が背面側から挿入され、接点３５０を定位置に保持する凹部３７０が設けられている。ラッチ３７２が、接点３５０が不用意に脱落することを防止する。ラッチ３７２はジャック支持構造１０に形成されている。ラッチ３７２は弾性を有し、接点３５０が凹部３７０に完全に挿入されると接点３５０と機械的に係合する。
【００６７】
各接点３５０は、それぞれ壁２００及び壁２１０にほぼ完全に収容されている。ジャック４０が各ジャックキャビティ３０に挿入されていなければ、各接触領域３９０、３９１に隣接した隆起部分のみが突出する。ジャック４０がジャックキャビティ３０に挿入されると、ジャックの外表面の一部が接触領域３９０又は３９１上に滑り込むことによってジャック４０と接点３５０との間に電気的接触を確立し、ジャックが接触する各アーム３６０、３６１をジャック支持構造１０の各中央壁２００、２１０のそれぞれの凹部３７０内へと押し込む。
【００６８】
同様に、ジャック支持構造１０がパッチパネル２０の中央支持要素１１０に挿入されると、接点３５０のアーム３６０、３６１の各接触面３９０、３９１が中央支持要素１１０の表面上に滑り込むことによって中央支持要素１１０と接点３５０との間に電気的接触を確立し、中央支持要素１１０が、支持要素が接触する各アーム３６０、３６１をジャック支持構造１０の各中央壁２００、２１０のそれぞれの凹部３７０内へと押し込む。
【００６９】
ジャック４０が上側ジャックキャビティ３０に挿入されると、上側中央壁２００に取り付けられた上側接点３５０の上側アーム３６０の図に見える接触領域３９０がジャック４０（図に示されていない）と接触する一方で、上側接点３５０の下側アーム３６１の接触領域３９１（この図では見えない）がパッチパネル２０の中央支持要素１１０（図に示されていない）と接触する。同様に、ジャック４０が下側ジャックキャビティ３０に挿入されると、下側中央壁２１０に取り付けられた下側接点３５０の上側アーム３６０の図に見える接触領域３９０がパッチパネル２０の中央支持要素１１０（図に示されていない）と接触する一方で、下側接点３５０の下側アーム３６１の接触領域３９１（この図では見えない）がジャック４０（図に示されていない）と接触する。
【００７０】
図５ａに示される実施形態は、２列のジャックキャビティ３０の間の空間内にのみ配置される固定手段を有することにより、パッチパネル２０の前面においてジャック支持構造１０が必要とする空間を最小限に抑える助けとなる。ジャックキャビティ３０の上列の上にもジャックキャビティ３０の下列の下にも固定手段が配置されないため、パッチパネル２０の前面で垂直方向に必要とされる空間の量が低減される。ジャックラッチ２２０及び接点３５０などのジャック支持構造１０の更なる要素を、これらの要素がジャック支持構造の壁１６０、１７０、１８０によって規定されるジャック支持構造１０の輪郭から突出しないように収納することによってこの目的が支持される。
【００７１】
本発明に基づけば、ジャックキャビティ３０は、ジャック支持構造１０内に異なる形態で配置することができる。図６ａは、ジャック支持構造１０がジャックキャビティ３０の２つの列４００ａ、４００ｂを有し、各列４００ａ、４００ｂが２個のジャックキャビティ３０を有する、本発明の好ましい一実施形態の概略図である。上列４００ａはジャックキャビティ３０ａ及び３０ｂを有し、下列４００ｂはジャックキャビティ３０ｃ及び３０ｄを有している。固定手段４１０が、ジャックキャビティ３０の上列４００ａと下列４００ｂとの間に配置されている。固定手段４１０は、例えば、図２に示される解放アクチュエータアーム２７０からなるものでもよい。上列４００ａのジャックキャビティ３０ａ、３０ｂは、下列４００ｂのジャックキャビティ３０ｃ、３０ｄと整列している。
【００７２】
図６ｂは、前面から見た、ジャックキャビティ３０の４つの列４０１ａ、４０１ｂ、４０１ｃ及び４０１ｄを有する本発明に基づく１個のジャック支持構造１０の一例を示している。これら４つの列４０１ａ、４０１ｂ、４０１ｃ及び４０１ｄは垂直方向を向いている。固定手段４１０は、隣り合う２つの列４０１ｂと４０１ｃとの間にのみ配置されている。
【００７３】
図６ａ及び６ｂに示される実施形態は、ジャックキャビティ３０の特定の２列４００、４０１の間にのみ配置された固定手段４１０を有することにより、このような配置は他の列４００、４０１の間の空間が小さく保たれ、これらの他の列４００、４０１の間に固定手段を収容する必要がないことから、パッチパネル２０の前面においてジャック支持構造１０が必要とする空間を最小限に抑える助けとなる。
【００７４】
パッチパネル２０に対してジャック支持構造１０の固定を強化するために、複数の固定手段をジャックキャビティ３０の特定の２列４００、４０１の間に収容することができるが、これによりパッチパネル２０の前面に更なる空間を必要としない。
【００７５】
図７ａは、パッチパネル２０の中央支持要素１１０の凹部１３０及び１４０の詳細図である。これらの凹部１３０、１４０の基本的な機能は、上記に図１及び３との関連で考察したとおりである。ジャック支持構造１０の両側が第１の種類の凹部１４０によって案内されることにより、ジャック支持構造１０は１個の第１の種類、２個の第２の種類の全部で３個の凹部において平坦な支持要素１１０に取り付けられる。本発明の他の実施形態では、ジャック支持構造１０を３個よりも少ない平坦な支持要素１１０に取り付けることができる。
【００７６】
第２の例示的な種類の凹部４６０が図７ｂに示されている。凹部４６０は、上記に図３に関連して説明したように、ジャック支持構造１０の解放アクチュエータアーム２７０のラッチ３００と相互作用することが可能な２個の保持突起４７０を有している。後方部分４８０においては、凹部４６０はジャック支持構造１０がパッチパネル２０に固定される際にジャック支持構造１０を案内するように直線状の形状をなしている。この実施形態では、ジャック支持構造１０は、長手方向の案内及び解放可能な固定機能を与える１個の凹部４６０においてパッチパネル２０に取り付けられる。当業者であれば理解されるように、ジャック支持構造１０は凹部４６０と嵌合するような適当な形状に形成される。
【００７７】
図７ａ及び図７ｂの両方において、中央支持要素１１０の凹部１３０、１４０、４６０、４８０が、ジャック支持構造１０がパッチパネル２０に挿入される際にジャック支持構造１０を案内する。矢印Ｃによって示される上下方向への案内は、同じ凹部１３０、１４０、４６０及びジャック支持構造１０の中央壁２００、２１０とそれらとの相互作用によって与えられる。上側中央壁２００と下側中央壁２１０との間の開放空間の高さは、平坦な中央支持要素１１０の厚さとほぼ一致している。中央壁２００、２１０の間の開放空間が要素１１０の厚さよりもわずかに高いだけである場合、ジャック支持構造１０は、上下方向において平坦な支持要素１１０と緊密に嵌まる。
【００７８】
パッチパネル２０の前面におけるモジュラージャック４０の密度を高めるためには、上側中央壁２００と下側中央壁２１０との間の空間を最小化することが望ましい。しかしながら、そのためにはパッチパネル２０の平坦な支持要素１１０がより薄いものであることが求められる。より薄い支持要素１１０が、これに固定されるジャック支持構造１０に対して、また、平坦な支持要素１１０に直接的又は間接的に固定されるジャック４０、プラグ及びケーブルに対して与える機械的な支持はより低い。したがって、平坦な支持要素１１０の厚さ及び支持要素１１０を形成する材料は当業者によって慎重に選択される。
【００７９】
図８ａは、電気通信ジャック４０の電気接点に電線を速やか、かつ高い信頼性で接続することを可能とする成端ツール７００の背面側の立体図である。ツール７００は、ジャック４０によってワイアを成端する、すなわち、ワイアをジャック４０内の接点と機械的かつ電気的にしっかりと接続するのに繰り返し使用することができる。
【００８０】
ツール７００は、本体７１０及び２個のアクチュエータ８００、８００’を有している。本体７１０は、側壁７２０、上壁７３０及び下壁７４０を有している。これらの壁７２０、７３０、７４０は、例えば、一般的なＲＪ４５型のジャックなどの電気通信ジャック４０を収容するのに適した形状のキャビティ７５０を形成する。この図に示されるツール７００は、ＲＪ４５型のジャックを収容するためのほぼ長方形のキャビティ７５０を有しているが、キャビティ７５０は他の種類のジャック４０を収容するための、例えば、丸形又は卵形などの他の形状を有してもよい。
【００８１】
壁７２０、７３０、７４０は、前後に測った場合に、例えば、ジャック４０の長さの半分よりも大きい、ジャック４０の長さのかなりの部分までジャック４０を包囲するのに充分な距離だけそれぞれの前端７６０から後端７７０にまで延びている。壁７２０、７３０、７４０によって形成されるキャビティ７５０は適当な形状に形成され、ジャック４０を緊密に包囲するが、矢印７８０によって示される前後方向のジャック４０の運動は制限しないような適当な寸法を有している。
【００８２】
壁７２０、７３０、７４０は、キャビティ７５０内にジャック４０を手で容易に導入することができるようにそれぞれの後端７７０においてテーパ状の縁部を有している。キャビティ７５０の前面は開放していてもよく、壁（図に示されていない）によって閉鎖されていてもよい。ツールは、キャビティ７５０がその前面側において壁によって閉鎖されていれば、ジャック４０をツール７００のキャビティ７５０にツールの背面側から、ジャック４０の前面がキャビティ７５０の前壁に当接するまで挿入すればよいことから有利である。この位置では、ジャック４０は、ツール７００及びその要素に対して明確な位置にあるため、ツール７００の操作がより便宜よくより信頼性が高くなる。
【００８３】
各側壁７２０は、ツール７００の本体７１０に２個のアクチュエータ８００、８００’を旋回可能に取り付けるための２個のヒンジスタッド７９０を与える。
【００８４】
図８ａに示される実施形態では、アクチュエータ８００とアクチュエータ８００’とは同じ形状を有している。したがって、アクチュエータ８００のみについて詳細に説明する。
【００８５】
アクチュエータ８００は、各ヒンジスタッド７９０と係合する各円形穴８４０をそれぞれが有する側壁８２０、８３０を有しているため、アクチュエータ８００はアクチュエータが係合するヒンジスタット７９０によって規定される軸を中心として旋回することができる。アクチュエータ８００は、ツール７００の背面側からジャック４０をキャビティ７５０に挿入できるように充分に旋回させることができる。アクチュエータ８００は、側壁８２０及び８３０に取り付けられた後壁８５０を更に有する。後壁８５０は、ジャック４０の接点に接続しようとするワイア（図に示されていない）をそこからツールに導入することができる半円形の凹部８６０を与える。
【００８６】
アクチュエータ８００は、壁８２０、８３０及び８５０に取り付けられた下壁８７０（図８ａでは見えない）を有している。図８ａに示されるツールの開位置では、アクチュエータ８００の壁８２０、８３０、８５０、及び８７０は開いた舟状容器を形成する。この舟状容器の内部には、壁８７０から垂直に突出する長手方向に延びるレバー８８０が配置されている。このレバーは、設置後にジャック４０の一部となり、ジャック４０の接点内にワイアを押し込む機能を有する（図８ｂ及び８ｃにこの機構についてより詳しく説明されている）ワイア編成部材９５０の特定の表面の幅と一致する横幅を有している。レバー８８０の前面８９０は平坦かつ滑らかであるため、レバー８８０はワイア編成部材９５０の対応する摺動面９８０、９８０’上を容易に滑ることができる。レバー８８０は、その一端において壁８７０にしっかりと取り付けられている。レバー８８０は、その裏側において、側壁８２０から側壁８３０に延びる、後壁８５０と平行な内壁９００によって支持されている。内壁９００は、凹部８６０と整列した中央凹部９０５を有しているため、ツール７００の開位置及び閉位置の両方において、ジャック４０の接点に接続しようとするワイア９６５をツール７００及びジャック４０に導入することができる。
【００８７】
レバー８８０及び８８０’はそれぞれ、内壁９００の中央から横方向に変位しており、レバーのそれぞれは以下に詳しく述べるワイア編成部材９５０のそれぞれの対応する摺動面９８０、９８０’と整列している。
【００８８】
内壁９００と旋回ヒンジ穴８４０との間の距離は、ワイア９６５がジャック４０の接点にしっかりと接続されるようにワイア編成部材９５０がジャック４０の本体９６０内に充分に深く押し込まれた場合にのみ、ツール７００をその閉位置とすることができるように選択される。ワイア編成部材９５０がジャック４０の本体９６０内に充分に深く挿入されると、内壁９００及びレバー８８０がツール７００が完全に閉じることを防止する。
【００８９】
ツール７００は、図８ａに示される実施形態では、その開位置からその閉位置へと手で移行させるものとなっている。操作者、技術者などは、ワイア９６５をワイア編成部材９５０に挿入し、ツール７００がその開位置にある状態でジャック４０の本体９６０をツール７００に挿入し、ワイア編成部材９５０をジャック４０の本体９６０に部分的に手で挿入し、更にアクチュエータ８００及び８００’を同時に互いに向かって手で旋回させることによってツール７００をその閉位置に移行させ、これによりワイア編成部材９５０をジャック４０の本体９６０に挿入することが求められ、これによりワイア９６５がジャック４０の各接点にしっかりと接続される。
【００９０】
アクチュエータ８００の旋回、ひいてはツール７００の閉鎖を促すため、アクチュエータ８００は、アクチュエータ８００の、ヒンジとなっている端部とは反対側の端部の近くに配置されたグリップ要素９１０を備えている。グリップ要素９１０は、下壁８７０に連結されるか又はその一部を形成し、下壁８７０の、レバー８８０が取り付けられた側面とは反対側の側面に配置されるほぼ板上の平坦な要素である。グリップ要素９１０はレバー８８０上の中心に配置すると、この配置によってツール７００を閉じるためにグリップ要素９１０に圧力が加えられる際のツール７００の歪みが防止されることから有利となりうる。グリップ要素９１０はその平面内において、アクチュエータ８００の壁８２０、８３０、８５０、及び８７０によって形成される舟状容器を越えて１以上の方向に延びてよい。
【００９１】
図８ｂは、開位置にあるツール７００を示したものであり、電気通信ジャック４０の本体９６０がツール７００のキャビティ７５０に挿入されている。ワイア９６５がワイア編成部材９５０に挿入されている。ワイア編成部材９５０はジャック４０の本体９６０には挿入されていない。ワイア編成部材９５０は、ワイア編成部材９５０の両側に配置されたラッチ突起９９０、９９０’を有している。ラッチ突起９９０、９９０’は、ジャック本体９６０の対応する弾性ラッチ１０００、１０００’との固く不可逆な係合を可能とする三角形の断面を有している。矢印７８０によって示される方向におけるラッチ突起９９０、９９０’の位置は、ワイア編成部材９５０がジャック４０の本体９６０に完全に挿入された場合にのみ、ラッチ突起９９０、９９０’がそれぞれのラッチ１０００、１０００’と係合できるように選択される。
【００９２】
図８ｃは、開位置にある成端ツール７００を示したものであり、電気通信ジャック４０がツール７００のキャビティ７５０に挿入されている。分かりやすくするため、アクチュエータ８００’は１個のみが示されている。この図はジャック４０の後部の詳細を示している。ワイア編成部材９５０はジャック４０の本体９６０に部分的に挿入されている。ワイア９６５はジャック４０の背面の円形のワイア開口部９７０からジャック４０に導入される。ワイア編成部材９５０は、一方が開口部９７０の一方の側に配置され、他方が開口部９７０の反対側に配置された２個の摺動面９８０、９８０’を有している（図８ｃでは摺動面９８０’のみが見える）。摺動面９８０、９８０’は、開口部９７０の中心を通る矢印７８０の向きの軸に対して互いに対称的に配置されている。アクチュエータ８００及び８００’がツール７００の閉位置へと互いに向かって旋回する際、摺動面９８０’にレバー８８０’の前面８９０’が機械的に接触する一方で、摺動面９８０にはレバー８８０の前面８９０が機械的に接触する（この図では見えない）。
【００９３】
摺動面９８０、９８０’と対応するレバー前面８９０、８９０’との間の相互作用は、摺動と押す相互作用の両方である。ツール７００がその開位置からその閉位置へと移行する際、レバー８８０’の、壁８７０に取り付けられた一方の端部とレバー８８０’の他方の端部との間のレバー８８０’に沿って概ね中間の位置に位置するレバー８８０’の中央部が、摺動面９８０’と最初に接触し、ワイア編成部材９５０をジャック４０の本体９６０内にわずかに深く押し込む。ツール７００が更に閉じられるのにしたがって、レバー８８０’と摺動面９８０’との接点が壁８７０に接近し、ワイア編成部材９５０がジャック４０の本体９６０内により深く入り込む。ツール７００が完全に閉じた位置となる（図８ｄに示される）と、ワイア編成部材９５０はジャック４０の本体９６０に充分に深く挿入され、ラッチ突起９９０’が弾性ラッチ１０００’と係合し、他方のラッチ突起９９０（見えていない）が他方の弾性ラッチ１０００と係合することによって、ワイア編成部材９５０がその完全に挿入された位置に固定される。
【００９４】
図８ａ〜８ｄに示される実施形態では、ツール７００のアクチュエータ８００と８００’とが同じ形状を有していることは上記に述べた。アクチュエータ８００がアクチュエータ８００’と対向して配置され、それぞれの旋回軸が平行で互いに近接して配置されているため、レバー８８０及び８８０’の位置が横方向にオフセットしていることは、これらがワイア編成部材９５０を、ジャック４０の中心軸を中心として対称的に配置された異なる摺動面９８０、９８０’においてそれぞれジャック４０の本体内に押し込むことを意味する。これにより、ワイア編成部材９５０はジャック４０の本体内に均等に押し込まれ、斜めになったり詰まったりすることが防止される。
【００９５】
アクチュエータ８００及び８００’を互いの方向に完全に旋回させることにより、すなわちツール７００を開位置から閉位置に移行させることによって、レバー８８０、８８０’がそれぞれの前面８９０、８９０’によって各摺動面９８０、９８０’と接触し、更にツール７００が完全に閉じると、レバー８８０、８８０’がワイア編成部材９５０をジャック４０の本体９６０内に押し込み、更にこれによりワイア９６５を絶縁変位接点（図に示されていない）の各スリット内に押し込むことによって、ジャック４０との安定した接続が確立される。
【００９６】
図８ｄは、ツール７００及びツールの作動後にワイア９６５と接続されたジャック４０を示している。図を分かりやすくするため、アクチュエータ８００、８００’は再び開かれている。ワイア編成部材９５０がジャック４０の本体９６０内に完全に押し込まれており、弾性ラッチ１０００、１０００’がラッチ突起９９０、９９０’とそれぞれ係合していることにより、ジャック４０の本体９６０に対してワイア編成部材９５０がしっかりと固定されている。この状態で、ワイア９６５はジャック４０内の各絶縁変位接点１１５０（見えていない）としっかりと接続される。
【００９７】
図９は、ワイア９６５を定位置に保持しているモジュラージャック４０のワイア編成部材９５０の斜視図である。ワイア９６５は、ワイア開口部９７０（この図では見えていない）からワイア編成部材９５０内に導入されている。各ワイアは、絶縁シース１０５０及び導電ストランド１０６０を有している。ワイア編成部材９５０の内部空間は壁１０８０によって包囲されている。壁１０８０の内の２つは凹部１１００を有し、そのそれぞれが、ワイア９６５の絶縁シース１０５０と係合することによって１本のワイア９６５の端部を定位置に保持している。ワイア編成部材９５０が、その内部で定位置に保持されたワイア９６５とともにジャック４０の本体９６０内に押し込まれると、各ワイア９６５の、ワイアを定位置に保持している凹部１１００に隣接した部分が、モジュラージャック４０の絶縁変位接点１１５０内に押し込まれ、これにより各ワイア９６５が各絶縁変位接点１１５０に固定され、ワイア９６５の導電ストランド１０６０と絶縁変位接点１１５０との間に電気的接触が確立される。
【００９８】
ワイア編成部材９５０は、ポリマー性の非導電性材料から作製される。ワイア９６５を定位置に保持するための凹部１１００を有するこれらの壁１０８０には、異なるワイア位置を示す機能を有する標示１１１０が設けられている。
【００９９】
図１０は、ワイア成端ツール７００がワイア編成部材９５０をジャック４０の本体９６０内に押し込む際にワイア９６５が固定されるジャック４０の本体９６０内の絶縁変位接点１１５０を示す、ジャック４０の一部の斜視図である。ツール７００のレバー８８０、８８０’がワイア編成部材９５０をジャック４０の本体９６０内に完全に押し込むことによってワイア９６５が各絶縁変位接点１１５０に固定されると、ジャック４０の２個のラッチ１０００、１０００’がワイア編成部材９５０の各ラッチ突起９９０、９９０’と係合して本体９６０に対してワイア編成部材９５０を固定する。
【図１】
0005896997.tif 000002
【図２】
0005896997.tif 000003
【図３】
0005896997.tif 000004
【図４】
0005896997.tif 000005
【図５ａ】
0005896997.tif 000006
【図５ｂ】
0005896997.tif 000007
【図５ｃ】
0005896997.tif 000008
【図６ａ】
0005896997.tif 000009
【図６ｂ】
0005896997.tif 000010
【図７ａ】
0005896997.tif 000011
【図７ｂ】
0005896997.tif 000012
【図８ａ】
0005896997.tif 000013
【図８ｂ】
0005896997.tif 000014
【図８ｃ】
0005896997.tif 000015
【図８ｄ】
0005896997.tif 000016
【図９】
0005896997.tif 000017
【図１０】
0005896997.tif 000018